(57)【要約】【課題】スナップフィットにより空調ケースの外表面に装着部品を固定する空調装置において、空調ケースの型抜き穴からの風洩れを防止する。【解決手段】空調ケース２の保持片４は、弾性変形が可能な脚部と、脚部の先端部から折れ曲がって延びて突起片１１２と係合する係合部とを備えている。そして、保持片４の脚部は、突起片１１２の突出方向に沿って見たときに、空調ケース２の位置決めピン３と重ならない位置に配置されているため、突起片１１２の突出方向にスライドコアを動かしてアンダーカット部を成形することができる。したがって、空調ケース２の型抜き穴をなくして風洩れを防止することができる。【選択図】図１
2015182568.tif 000002
【特許請求の範囲】
【請求項１】
空調風が流通する空気通路を有するとともに、型（５）を用いて成形される空調ケース（２）と、
前記空調ケースの外表面（２１）に固定される装着部品（１）とを備え、
前記装着部品は、前記装着部品のケース本体部（１１１）から突出するとともに、貫通した位置決め穴（１１２ａ）を有する板状の突起片（１１２）を備え、
前記空調ケースは、前記外表面から突出して前記突起片と係合する保持片（４）と、前記外表面から突出して前記位置決め穴に挿入される位置決めピン（３）とを備え、
前記保持片は、前記外表面から突出するとともに弾性変形が可能な脚部（４１）と、前記脚部の先端部から折れ曲がって延びて、前記突起片における前記位置決め穴よりも先端側の部位と係合する係合部（４３）とを備え、
前記脚部は、前記突起片の突出方向（Ｂ）に沿って見たときに、前記位置決めピンと重ならない位置に配置されていることを特徴とする空調装置。
【請求項２】
前記係合部における前記位置決めピン側の案内面（４３１）は、前記突起片の先端が摺動しつつ前記装着部品が前記空調ケースに組み付けられるように、前記位置決めピンの突出方向（Ｃ）に対して傾斜していることを特徴とする請求項１に記載の空調装置。
【請求項３】
前記位置決めピンの先端側は、前記位置決めピンの先端に向かって細くなる円錐状になっていることを特徴とする請求項１または２に記載の空調装置。
【請求項４】
前記保持片は、前記脚部から突出するリブ（４２）を備え、
前記リブは、前記突起片の突出方向に沿って見たときに、前記脚部の面のうち前記位置決めピンとは反対側に位置する面（４１１）から突出していることを特徴とする請求項１ないし３のいずれか１つに記載の空調装置。
【請求項５】
前記保持片は、前記脚部を２つ備え、
前記２つの脚部の先端部同士が前記係合部により連結されていることを特徴とする請求項１ないし４のいずれか１つに記載の空調装置。
【発明の詳細な説明】
【技術分野】
【０００１】
本発明は、室内の空調を行う空調装置に関するものである。
【背景技術】
【０００２】
従来、この種の空調装置として、例えば特許文献１に記載されたものがある。この特許文献１に記載された空調装置は、スナップフィットにより空調ケースの外表面に装着部品を固定するようにしている。
【０００３】
具体的には、装着部品に、位置決め穴を有する板状の突起片を設けている。空調ケースには、鉤状の保持片と位置決め穴に挿入される位置決めピンとを設けている。また、保持片は、空調ケースの外表面から突出する脚部と、脚部の先端部から折れ曲がって延びて突起片と係合する係合部とを備えている。さらに、脚部は、断面形状が円弧状になっている。
【０００４】
そして、位置決め穴に位置決めピンを挿入するとともに、空調ケースの座面と係合部との間に突起片を挟持することにより、空調ケースに装着部品を固定するようになっている。
【先行技術文献】
【特許文献】
【０００５】
【特許文献１】独国特許出願公開第１０２００９０３９４０６号明細書
【発明の概要】
【発明が解決しようとする課題】
【０００６】
しかしながら、従来の空調装置は、脚部における位置決めピンに対向する面、および係合部における突起片と係合する面は、型を用いて空調ケースを成形する際にアンダーカット部になる。そして、脚部は断面形状が円弧状であるため、アンダーカット部になる面をスライドコアにて成形することができない。
【０００７】
したがって、空調ケースの内表面を成形する型にてアンダーカット部になる面を成形することになり、空調ケースには型抜き穴が形成されてしまう。その結果、その型抜き穴から空調風が外部に洩れるため、空調性能低下や風洩れ音発生という問題があった。
【０００８】
本発明は上記点に鑑みて、型抜き穴からの風洩れを防止することを目的とする。
【課題を解決するための手段】
【０００９】
上記目的を達成するため、請求項１に記載の発明では、空調風が流通する空気通路を有するとともに、型（５）を用いて成形される空調ケース（２）と、空調ケースの外表面（２１）に固定される装着部品（１）とを備え、装着部品は、装着部品のケース本体部（１１１）から突出するとともに、貫通した位置決め穴（１１２ａ）を有する板状の突起片（１１２）を備え、空調ケースは、外表面から突出して突起片と係合する保持片（４）と、外表面から突出して位置決め穴に挿入される位置決めピン（３）とを備え、保持片は、外表面から突出するとともに弾性変形が可能な脚部（４１）と、脚部の先端部から折れ曲がって延びて、突起片における位置決め穴よりも先端側の部位と係合する係合部（４３）とを備え、脚部は、突起片の突出方向（Ｂ）に沿って見たときに、位置決めピンと重ならない位置に配置されていることを特徴とする。
【００１０】
これによると、係合部における突起片と係合する面（係合部係合面という）、および脚部における係合部係合面に連なる面は、アンダーカット部になるが、脚部は突起片の突出方向に沿って見たときに位置決めピンと重ならない位置に配置されているため、突起片の突出方向にスライドコアを動かしてそのアンダーカット部を成形することができる。したがって、空調ケースの型抜き穴をなくして風洩れを防止することができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の一実施形態に係る空調装置の要部を示す斜視図である。
【図２】図１の空調ケースの要部を示す斜視図である。
【図３】図２のＡ矢視図である。
【図４】図３の平面図である。
【図５】図３の右側面図である。
【図６】図３のＶＩ−ＶＩ断面図である。
【図７】図３の保持片を示す図である。
【図８】図７のＶＩＩＩ−ＶＩＩＩ断面形状を成形型とともに示す図である。
【発明を実施するための形態】
【００１３】
以下、本発明の実施形態について図に基づいて説明する。
【００１４】
図１に示すように、車室内の空調を行う空調装置は、型を用いて成形される樹脂製の空調ケース２を備えている。なお、ここでは空調ケース２の一部のみを示しているが、空調ケース２は箱形状になっており、その内部には、空調風が流通する空気通路を有するとともに、冷凍サイクルの構成部品（すなわち、蒸発器、ヒータコア等。図示せず）や、空調風の吹き出し口を開閉する吹き出し口ドア等（図示せず）が収容されている。
【００１５】
空調ケース２の外表面２１には、吹き出し口ドアを駆動する装着部品としてのサーボモーター１が固定されている。
【００１６】
サーボモーター１は、樹脂製のケース１１を備えている。ケース１１は、箱状のケース本体部１１１と、複数の板状の突起片１１２とを備えている。そして、ケース本体部１１１内に電動機等（図示せず）が収容されている。また、突起片１１２は、ケース本体部１１１から突出しており、貫通した円形の位置決め穴１１２ａが形成されている。
【００１７】
図１〜図６に示すように、空調ケース２には、外表面２１から突出して位置決め穴１１２ａに挿入される複数の位置決めピン３と、外表面２１から突出して突起片１１２と係合する複数の保持片４が形成されている。
【００１８】
位置決めピン３は、位置決めピン基端から中間部までのピン基部３１と、ピン基部３１よりも位置決めピン先端側に位置するピン位置決め部３２と、ピン位置決め部３２よりもさらに位置決めピン先端側に位置するピンガイド部３３とを備えている。
【００１９】
ピン基部３１は、位置決めピン基端から中間部まで延びる円柱状の基部円柱部３１１と、基部円柱部３１１の外周面から径方向外側に向かって突出する３つの板状の基部板部３１２とを備えている。そして、基部板部３１２における位置決めピン先端側の端面であるピン座面３１２ａに、突起片１１２が当接するようになっている。
【００２０】
ピン位置決め部３２は、円柱状に形成されており、位置決め穴１１２ａと嵌合するようになっている。
【００２１】
ピンガイド部３３は、位置決めピン先端に向かって細くなる円錐状になっている。また、ピンガイド部３３は、突起片１１２の突出方向である突起片突出方向Ｂ（図３の紙面垂直方向。図６の紙面左右方向）に沿って見たときに、後述する係合部４３と重なる位置に配置されている。そして、ピンガイド部３３は、サーボモーター１を空調ケース２に組み付ける際に、位置決め穴１１２ａをピン位置決め部３２に案内するようになっている。
【００２２】
保持片４は、位置決めピン３よりもサーボモーター１から遠い位置に配置されている。換言すると、保持片４とサーボモーター１との間に位置決めピン３が配置されている。
【００２３】
保持片４は、外表面２１から突出するとともに弾性変形が可能な２つの脚部４１と、脚部４１から突出するリブ４２と、脚部４１の先端部から折れ曲がって延びて、突起片１１２における位置決め穴１１２ａよりも突起片先端側の部位と係合する係合部４３とを備えている。換言すると、２つの脚部４１の先端部同士が係合部４３により連結されており、保持片４は門型の形状になっている。
【００２４】
ここで、位置決めピン３の突出方向（図３、図５の紙面上下方向）を位置決めピン突出方向Ｃとし、突起片突出方向Ｂおよび位置決めピン突出方向Ｃに対してともに直交する方向（図３の紙面左右方向）を係合部方向Ｄとする。
【００２５】
脚部４１は、位置決めピン３に対して、係合部方向Ｄにずれた位置に配置されている。換言すると、脚部４１は、突起片突出方向Ｂに沿って見たときに、位置決めピン３と重ならない位置に配置されている。
【００２６】
リブ４２は、突起片突出方向Ｂに沿って見たときに、脚部４１の面のうち位置決めピン３とは反対側に位置する脚部第１面４１１から突出している。
【００２７】
係合部４３は、位置決めピン突出方向Ｃに対して傾斜している。したがって、係合部４３における位置決めピン３側の案内面４３１も、位置決めピン突出方向Ｃに対して傾斜している。より詳細には、案内面４３１は、サーボモーター１を空調ケース２に組み付ける際の組み付け向きであるモーター組み付け向きＥ（図６の紙面下向き）に沿って、暫時位置決めピン３に近づくように傾斜している。そして、サーボモーター１を空調ケース２に組み付ける際には、突起片１１２の先端が案内面４３１を摺動するようになっている。
【００２８】
係合部４３におけるモーター組み付け向きＥ側の端面である係合面４３２は、突起片１１２における位置決め穴１１２ａよりも先端側の部位と係合するようになっている。また、係合面４３２は、３箇所のピン座面３１２ａのうちの１つと対向している。
【００２９】
次に、空調ケース２の成形について説明する。
【００３０】
図６〜図８に示すように、空調ケース２の成形型５は、外表面２１側を成形する上型５１およびスライドコア５２、さらに空調ケース２の内表面２２側を成形する下型（図示せず）を備えている。
【００３１】
ここで、３つの板状の基部板部３１２のうち係合面４３２と対向するピン座面３１２ａを有する基部板部３１２、脚部４１におけるリブ４２とは反対側に位置する脚部第２面４１２、脚部４１における位置決めピン３とは反対側に位置する脚部第３面４１３、係合部４３における案内面４３１とは反対側に位置する係合部裏面４３３、および係合面４３２は、アンダーカット部になる。
【００３２】
そして、これらのアンダーカット部は、スライドコア５２によって形成される。すなわち、突起片突出方向Ｂに沿って見たときに脚部４１は位置決めピン３と重ならない位置に配置されているため、突起片突出方向Ｂにスライドコア５２を動かしてそのアンダーカット部を成形することができる。したがって、空調ケース２の型抜き穴をなくすことができる。
【００３３】
なお、スライドコア５２は、空調ケース２の成形後、スライドコア５２の型抜き向きであるコア型抜き向きＦ（図６の紙面左向き。図８の紙面下向き）に沿って移動される。なお、コア型抜き向きＦは、突起片突出方向Ｂと平行である。
【００３４】
脚部４１の面のうち、脚部第２面４１２および脚部第３面４１３を除く面は、上型５１によって成形される。そして、上型５１は、空調ケース２の成形後、上型５１の型抜き向きである上型型抜き向きＧ（図６の紙面上向き）に沿って移動される。なお、上型型抜き向きＧは、位置決めピン突出方向Ｃと平行である。
【００３５】
空調ケース２の成形後、上型５１およびスライドコア５２のうち、先ずスライドコア５２がコア型抜き向きＦに沿って移動される。このとき、スライドコア５２と保持片４との接触部の粘着により保持片４がコア型抜き向きＦ側に引かれて保持片４が変形しようとするが、リブ４２が上型５１に保持された状態になっているため、保持片４の変形が防止される。
【００３６】
次に、空調ケース２へのサーボモーター１の組み付けについて説明する。
【００３７】
先ず、突起片１１２の位置決め穴１１２ａにピンガイド部３３を挿入し、さらにサーボモーター１を移動させて、位置決め穴１１２ａにピン位置決め部３２を嵌合させる。このとき、円錐状のピンガイド部３３に案内されてサーボモーター１は所定の位置までスムーズに移動することができる。
【００３８】
一方、位置決め穴１１２ａにピンガイド部３３を挿入した時点では、突起片１１２の先端が案内面４３１に当接する。ここからさらにサーボモーター１を移動させると、サーボモーター１は、突起片１１２の先端が傾斜した案内面４３１を摺動しつつ、突起片１１２が係合部４３を押して脚部４１を弾性変形させて（すなわち保持片４を撓ませて）進む。
【００３９】
そして、図６に示すように、突起片１１２がピン座面３１２ａに当接する位置までサーボモーター１を移動させると、脚部４１が復元力により元の形状に復帰して（すなわち保持片４の撓みがなくなり）、突起片１１２と係合面４３２が係合する。これにより、空調ケース２へのサーボモーター１の組み付けが完了する。
【００４０】
以上述べたように、本実施形態によると、スライドコア５２によりアンダーカット部を成形するため、空調ケース２の型抜き穴をなくして風洩れを防止することができる。
【００４１】
また、リブ４２を上型５１にて保持した状態でスライドコア５２の型抜きを行うため、スライドコア５２を型抜きする際の保持片４の変形を防止することができる。
【００４２】
また、案内面４３１を傾斜させることにより、空調ケース２へのサーボモーター１の組み付けの際に突起片１１２の先端が案内面４３１に当接するようにしているため、組み付け時の担ぎがなく、組み付け性が向上する。
【００４３】
また、円錐状のピンガイド部３３を設けているため、位置決め穴１１２ａにピン位置決め部３２が嵌合される位置まで、サーボモーター１をスムーズに案内することができる。
【００４４】
なお、上記実施形態においては、２つの脚部４１の先端部同士を係合部４３により連結したが、係合部４３を中間で分離してもよい。換言すると、２つの脚部４１の先端部同士は連結しなくてもよい。
【００４５】
また、上記実施形態においては、保持片４は２つの脚部４１を備えているが、脚部４１は１つにしてもよい。
【００４６】
（他の実施形態）
なお、本発明は上記した実施形態に限定されるものではなく、特許請求の範囲に記載した範囲内において適宜変更が可能である。
【００４７】
また、上記実施形態において、実施形態を構成する要素は、特に必須であると明示した場合および原理的に明らかに必須であると考えられる場合等を除き、必ずしも必須のものではないことは言うまでもない。
【００４８】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【００４９】
また、上記実施形態において、構成要素等の形状、位置関係等に言及するときは、特に明示した場合および原理的に特定の形状、位置関係等に限定される場合等を除き、その形状、位置関係等に限定されるものではない。
【符号の説明】
【００５０】
１        サーボモーター（装着部品）
２        空調ケース
３        位置決めピン
４        保持片
５        成形型
２１      外表面
４１      脚部
４３      係合部
１１１    ケース本体部
１１２    突起片
１１２ａ  位置決め穴
【図１】
2015182568.tif 000003
【図２】
2015182568.tif 000004
【図３】
2015182568.tif 000005
【図４】
2015182568.tif 000006
【図５】
2015182568.tif 000007
【図６】
2015182568.tif 000008
【図７】
2015182568.tif 000009
【図８】
2015182568.tif 000010